(57)【要約】【課題】顔のマッサージを行ないながらスキンケア液を顔肌に浸透させることができるスキンケア用手袋、並びにこのようなスキンケア用手袋を用いたスキンケア方法を提供する。【解決手段】スキンケア用手袋１は、顔肌用のスキンケア美容液２が、人体に押し当てられることで滲出可能に含浸されており、顔に押し当てられたスキンケア用手袋１の指先からスキンケア美容液２が滲出しながら、指で顔のマッサージを行なう。【選択図】図２
2011143147.tif 000002
【特許請求の範囲】
【請求項１】
顔肌用のスキンケア液が、人体に押し当てられることで滲出可能に含浸された
スキンケア用手袋。
【請求項２】
前記スキンケア液は、主として前記スキンケア用手袋の外側方向に滲出可能に含浸された
請求項１に記載のスキンケア用手袋。
【請求項３】
前記スキンケア液は、前記スキンケア用手袋の外側方向のみに滲出可能に含浸された
請求項１に記載のスキンケア用手袋。
【請求項４】
吸水性が高い不織布で構成された
請求項１〜３のいずれか１つに記載のスキンケア用手袋。
【請求項５】
前記スキンケア液は、化粧液および美容液から選ばれる少なくとも１つである
請求項１〜４のいずれか１つに記載のスキンケア用手袋。
【請求項６】
顔肌用のスキンケア液が、人体に押し当てられることで滲出可能に含浸されたスキンケア用手袋を、顔に押し当てる
スキンケア方法。
【発明の詳細な説明】
【技術分野】
【０００１】
本発明はスキンケア用手袋およびスキンケア方法に関する。詳しくは、顔のスキンケアを行なうための、スキンケア用手袋およびスキンケア方法に係るものである。
【背景技術】
【０００２】
スキンケアは目的部位別に、手にはハンドクリーム、足やボディにはボディローション、顔には化粧水や美容液を化粧用コットンに含ませて塗る方法や手のひらに取って塗る方法が行なわれている。
【０００３】
上記のスキンケア用の化粧水や美容液は、化粧用コットンに含ませて塗る方法や手のひらに取って塗る方法では液が流れ落ちることが多く、長時間にわたって皮膚に浸透させることができなかった。そこで、長時間にわたってスキンケア用の化粧水や美容液を皮膚に密着させるために様々なスキンケア用品が提案されている。
【０００４】
例えば特許文献１には、手袋状およびソックス状に成形した吸水性シートを使用者の手足に嵌めて密着させることにより、吸水性シートに含浸されている薬液を効率良く浸透させることができるスキンケア用品が記載されている。
また、例えば特許文献２には、マスク状に成形した含水性シートを顔に長時間貼ることにより、含水性シートに含浸されている顔用の化粧水や美容液を浸透させるパック用フェイスマスクが記載されている。
すなわち、特許文献１の発明および特許文献２の発明は、互いに使用する部位が異なり、部位に適した薬液が含浸されている。
【先行技術文献】
【特許文献】
【０００５】
【特許文献１】特開２００４−２４８７６０号公報
【特許文献２】特開２００４−２６２９０１号公報
【発明の概要】
【発明が解決しようとする課題】
【０００６】
ところで、顔の肌の手入れの際、化粧水または美容液によるスキンケアとさらに顔のマッサージを簡単に効率良く行ないたいという要望が多く、このような要望に応えることができるスキンケア用品が望まれていた。
しかしながら、特許文献１の発明は手足に嵌めることで、特許文献２の発明は顔にマスクを密着させることで、含浸されている手足または顔に適した薬液によりスキンケアをするものであり、従来のように顔のマッサージは別工程の動作を必要とする。
また、荒れる手足の皮膚とデリケートな顔の皮膚では、使用する薬液の成分組成は異なるもので、手足のスキンケアを目的とした特許文献１に使用する薬液は敏感な顔の肌には適していない。
【０００７】
本発明は、以上の点に鑑みて創案されたものであり、顔のマッサージを行ないながらスキンケア液を顔肌に浸透させることができるスキンケア用手袋、並びにこのようなスキンケア用手袋を用いたスキンケア方法を提供することを目的とする。
【課題を解決するための手段】
【０００８】
上記の目的を達成するために、本発明のスキンケア用手袋は、顔肌用のスキンケア液が、人体に押し当てられることで滲出可能に含浸されたものである。
【０００９】
ここで、顔肌用のスキンケア液が、人体に押し当てられることで滲出可能に含浸されているので、スキンケア用手袋を顔に押し当てることで、顔肌用のスキンケア液を滲出させることができる。
【００１０】
また、本発明のスキンケア用手袋において、スキンケア液は、主としてスキンケア用手袋の外側方向に滲出可能に含浸された場合、またはスキンケア液は、スキンケア用手袋の外側方向のみに滲出可能に含浸された場合、スキンケア用手袋に入れた手よりも、スキンケア用手袋を押し当てる顔などにスキンケア液を多く滲出させて浸透させることができる。
【００１１】
さらに、本発明のスキンケア用手袋が、吸水性が高い不織布で構成された場合、スキンケア液が含浸されやすい。
【００１２】
また、本発明のスキンケア用手袋において、スキンケア液は、化粧液および美容液から選ばれる少なくとも１つであることが好ましい。
【００１３】
また、上記の目的を達成するために、本発明のスキンケア方法は、顔肌用のスキンケア液が、人体に押し当てられることで滲出可能に含浸されたスキンケア用手袋を、顔に押し当てる。
【００１４】
ここで、顔肌用のスキンケア液が、人体に押し当てられることで滲出可能に含浸されたスキンケア用手袋を、顔に押し当てるので、顔肌用のスキンケア液を滲出させることができる。
【発明の効果】
【００１５】
本発明に係るスキンケア用手袋によって、顔のマッサージを行ないながらスキンケア液を顔肌に浸透させることができる。
本発明に係るスキンケア方法は、顔のマッサージを行ないながらスキンケア液を顔肌に浸透させることができる。
【図面の簡単な説明】
【００１６】
【図１】本発明のスキンケア用手袋の一例を示す概略図である。
【図２】本発明のスキンケア用手袋を用いて顔をスキンケアする様子を示す概略図である。
【発明を実施するための形態】
【００１７】
以下、本発明の実施の形態について図面を参照しながら説明し、本発明の理解に供する。
図１は、本発明のスキンケア用手袋の一例を示す概略図である。本発明のスキンケア用手袋１は、天然繊維からなる吸水性が高い不織布で構成されている。また、スキンケア用手袋１には、顔肌用のスキンケア美容液（スキンケア液の一例である。）２が、人体に押し当てられることで滲出可能に含浸されている。
【００１８】
ここで、スキンケア用手袋が不織布で構成されているが、顔肌用のスキンケア液が、人体に押し当てられることで滲出可能に含浸されることができるのであれば必ずしも不織布で構成されていなくてもよい。例えば、発砲体、織布、またはスポンジで構成されていてもよい。
【００１９】
また、不織布は天然繊維で構成されているが、顔肌用のスキンケア液が、人体に押し当てられることで滲出可能に含浸されることができるのであれば、必ずしも天然繊維で構成されていなくてもよく、合成繊維で構成されていてもよい。
また、スキンケア用手袋が織布で構成されている場合も、織布は天然繊維で構成されていても、合成繊維で構成されていてもどちらでもよい。
【００２０】
また、顔肌用のスキンケア美容液が含浸されているが、顔肌用のスキンケア液であれば必ずしもスキンケア美容液でなくてもよく、例えば顔肌用のスキンケア化粧液が含浸されていてもよいし、顔肌用のスキンケア美容液と顔肌用のスキンケア化粧液の混合液が含浸されていてもよい。
また、含浸されるスキンケア液の成分としては、一般的な顔肌用の化粧液や美容液に含まれる成分が挙げられる。
【００２１】
また、図１には、スキンケア用手袋の形状として、５本指形状を示しているが、顔肌用のスキンケア液が、人体に押し当てられることで滲出可能に含浸されることができるのであれば、必ずしも５本指形状でなくてもよく、例えばミトン形状であってもよい。しかし、５本指形状の方が、マッサージを行ないやすく、好ましい。
【００２２】
また、例えば、本発明のスキンケア用手袋の内側の手と接触する面などにビニール層などを設けて、顔肌用のスキンケア液が、主としてスキンケア用手袋の外側方向に、もしくはスキンケア用手袋の外側方向のみに滲出可能に含浸されていてもよい。
【００２３】
図２は、本発明のスキンケア用手袋を用いて顔をスキンケアする様子を示す概略図である。
本発明のスキンケア用手袋１は、顔肌用のスキンケア美容液２が、人体に押し当てられることで滲出可能に含浸されているので、図２に示すように、顔に押し当てられた本発明のスキンケア用手袋１の指先からスキンケア美容液２が滲出しながら、指で顔のマッサージを行なうことができる。
【００２４】
以上のように、本発明のスキンケア用手袋は、顔肌用のスキンケア液が、人体に押し当てられることで滲出可能に含浸されているので、スキンケア用手袋を顔に押し当てることで、顔肌用のスキンケア液を滲出させることができる。よって、顔のマッサージを行ないながらスキンケア液を顔肌に浸透させることができる。
【００２５】
また、本発明のスキンケア用手袋は、顔肌用のスキンケア液が、人体に押し当てられることで滲出可能に含浸されているので、顔以外にも、スキンケア用手袋を足、腕、胸、腹などに押し当てることで、顔肌用のスキンケア液を滲出させることができ、足、腕、胸、腹のマッサージを行ないながらスキンケア液を足、腕、胸、腹に浸透させることができる。
【００２６】
さらに、本発明のスキンケア用手袋は、顔肌用のスキンケア液が、人体に押し当てられることで滲出可能に含浸されているので、スキンケア用手袋を顔に押し当てて顔のマッサージを行なうと、スキンケア用手袋の外側方向にスキンケア液が滲出して顔肌用のスキンケア液を顔肌に浸透させることができる上に、内側方向にもスキンケア液が滲出して、手や指にも顔肌用のスキンケア液を浸透させて保湿させることが可能である。
【符号の説明】
【００２７】
１    スキンケア用手袋
２    スキンケア美容液
【図１】
2011143147.tif 000003
【図２】
2011143147.tif 000004